(57)【要約】【課題】ガラスコントロールシステム及び該ガラスコントロールシステムを付随する感応ガラスの構造を提供する。【解決手段】本考案はガラスコントロールシステム及び、該ガラスコントロールシステムを付随する感応ガラスの構造である。該ガラスは太陽光透過率を具有し、該太陽光透過率は電源により電力を該ガラスに提供することで透過率を高めることができる。該ガラスコントロールシステムは感応器及びコントローラーを含み、該感応器は太陽光が該ガラスを照射しているか否かを感知する。該コントローラーは該感応器が、ガラスに太陽光が照射していると感知した場合、該ガラスの太陽光透過率を下げて、該太陽光を遮断する。【選択図】  図1
0003141370.tif 000002
【実用新案登録請求の範囲】
【請求項１】
ガラス、電源、感応器、コントローラーを含み、
該ガラスは太陽光透過率を具有し、
該電源は電力を該ガラスに提供することで、該太陽光透過率を高め、
該感応器は、太陽光が該ガラスに照射しているか否かを感知し、
該コントローラーは該ガラスに太陽光が照射していると感応器が感知した際、該ガラスの該太陽光透過率を下げることで、該太陽光を遮断することを特徴とするガラスコントロールシステムを付随する感応ガラスの構造。
【請求項２】
前記ガラスは太陽光透過率を具有し、該太陽光透過率は電源でガラスに電力を提供することで得られ、該ガラスコントロールシステムに含むのは、感応器及びコントローラーであり、
該感応器は太陽光が該ガラスに照射しているか否かを感知し、
該コントローラーは該ガラスに太陽光が照射していると該感応器が感知した場合、該ガラスの太陽光透過率を下げるため、該太陽光を遮断することを特徴とするガラスコントロールシステムの構造。
【請求項３】
スイッチを含み、該電源をオン/オフすることができ、太陽光が該ガラスに照射していると該感応器が感知した場合、該コントローラーが該スイッチをオフし、該ガラスに電力を提供しないことで、該太陽光透過率を下げることで太陽光を遮断することを特徴とする請求項2記載のガラスコントロールシステムの構造。
【考案の詳細な説明】
【技術分野】
【０００１】
本考案はガラス技術の構造に関し、特にガラスコントロールシステム及び、該ガラスコントロールシステムを付随する感応ガラスの構造に関する。
【背景技術】
【０００２】
ガラスは透明、強度と硬度が極めて高い通気性のない物質である。日常環境の中においては、化学惰性を呈し、生物反応しないため、用途が非常に広い。ガラスは非晶質固体でもある。溶解するガラスは素早く冷却し、各分子は晶体を形成するのに十分な時間が足りず、ガラスに形成してしまう。
【０００３】
ガラスは主に非晶質の二酸化ケイ素(SiO2)即ち石英、或いは砂の化学成分である。ピュアなケイ素の溶解点は摂氏2000度である。ガラスを製造する際に、一般的に炭酸ナトリウム(Sodium Carbonate,Na2CO3、即ち炭酸ソーダ)及び炭酸カリウム(Potash)の二つを加えると、ケイ素の溶解点が1000度前後に下がる。炭酸ナトリウムによりガラスが水中に溶解するため、通常適量の酸化カルシューム(CaO)を加えると、ガラスが水に溶けなくなる。
【０００４】
ガラスはフリー電子がなく、激発しやすい電子もない。構造も密であり、多くの穴が開いていない。よって、ガラスは透明で太陽光を通す。しかし、ユーザーにとって、太陽の光を通して欲しくない人もいることを鑑みて、自動的に太陽光を遮断するガラスを案出した。
【特許文献１】特開平６−３００７３０号公報
【考案の開示】
【考案が解決しようとする課題】
【０００５】
本考案は、電源による電力を提供することによりガラスの太陽光透過率を高めることで、自動的に太陽光を遮断するガラスを提供することを主な課題とする。
【課題を解決するための手段】
【０００６】
上述の目的を解決するために、本考案はガラスコントロールシステム及び、該ガラスコントロールシステムを付随する感応ガラスの構造を提供するものである。該ガラスは太陽光透過率を具有し、該太陽光透過率は電源により電力を該ガラスに提供することで透過率を高めることができる。該ガラスコントロールシステムは感応器及びコントローラーを含み、該感応器は太陽光が該ガラスを照射しているか否かを感知する。該コントローラーは、ガラスに太陽光が照射していると該感応器が感知した場合、該ガラスの太陽光透過率を下げて、該太陽光を遮断する、ガラスコントロールシステム及び、該ガラスコントロールシステムを付随する感応ガラスの構造を提供するものである。
【考案の効果】
【０００７】
本考案はガラスに感応器及びコントローラーを設置することにより、該ガラスに太陽光が照射していると該感応器が感知すれば、該太陽光を遮断する、自動的に太陽光を遮断するガラスコントロールシステム及び、該ガラスコントロールシステムを付随する感応ガラスである。
【考案を実施するための最良の形態】
【０００８】
図1に示すのは、本考案の第一実施例であり、ガラスコントロールシステムを付随した感応ガラスの構造略図である。該感応ガラスはガラス600、電源500、感応器100及びコントローラー200を含む。
【０００９】
該ガラス600は太陽光透過率を具有する。該電源500は電力を該ガラス600に提供することができ、太陽光透過率を高めることができる。該感応器100は太陽光が該ガラス600に照射しているか否かを感知することができる。該コントローラーは、太陽光が該ガラス600に照射していると該感応器100が感知した場合、該ガラス600の太陽光透過率を下げることで、太陽光を遮断する、自動的に太陽光を遮断することのできるガラスである。
【００１０】
上述の感応ガラスは更にスイッチ300を含み、該電源500をオン/オフすることができる。本考案の第一実施例によると、該ガラス600に太陽光が照射していると該感応器100が感知した場合、該コントローラー200は該スイッチ300をオフにし、該電源500は電力を該ガラス600に提供しないことで、太陽光透過率を下げて太陽光を遮断する。該ガラス600に太陽光が照射していると該感応器100が感知した場合、太陽光信号を発送する。
【００１１】
該コントローラー200は作動部品202及びコントロール部品204を含む。該コントロール部品204は該感応器100の発送する太陽光信号に基づき、オフ信号を該作動部品202に発送することで、該作動部品202がスイッチ300をオフにする。
【００１２】
本考案の第一実施例によると、太陽光が該ガラス600に照射していないと該感応器100が感知した場合、該太陽光信号を発送しない。該コントロール部品204はオン信号を該作動部品202に発送することで、該作動部品202が該スイッチ300をオンにし、電源500が該電力を該ガラス600に送り、該ガラス600の太陽光透過率を上げる。
【００１３】
本考案の第二実施例はガラスコントロールシステムである。該ガラスは太陽光透過率を具有し、該太陽光透過率は電源により電力を該ガラスに提供することで高めることができる。
【００１４】
図1に示すのは第二実施例であり、ガラスコントロールシステム及びガラスの構造略図である。図2に示すように、該ガラスコントロールシステムは感応器100及びコントローラー200を含む。該感応器100は、該ガラス600に太陽光が照射しているか否かを感知する。該コントローラー200は、太陽光が該ガラス600に照射していると該感応器100が感知した場合、該ガラス600の太陽光透過率を下げることで太陽光を遮断する、自動的に太陽光を遮断することのできるガラスである。
【００１５】
本考案の第二実施例において、上述の感応ガラスは更にスイッチ300を含み、該電源500をオン/オフすることができる。該ガラス600に太陽光が照射していると該感応器100が感知した場合、該コントローラー200は該スイッチ300をオフにし、該電源500は電力を該ガラス600に提供しないことで、太陽光透過率を下げて太陽光を遮断する。該ガラス600に太陽光が照射していると該感応器100が感知した場合、太陽光信号を発送する。
【００１６】
本考案の第二実施例によると、該コントローラー200は更に作動部品202及びコントロール部品204を含む。該コントロール部品204は該感応器100の発送する太陽光信号に基づき、オフ信号を該作動部品202に発送することで、該作動部品202がスイッチ300をオフにする。
【００１７】
図1に示すように、太陽光が該ガラス600に照射していないと該感応器100が感知した場合、該太陽光信号を発送しない。該コントロール部品204はオン信号を該作動部品202に発送し、該作動部品202が該スイッチ300をオンにすることで、電源500が該電力を該ガラス600に送り、該ガラス600の太陽光透過率を上げる。
【００１８】
本考案のガラス600は、フロートガラス/アニールガラス、強化ガラス、ラミネートガラス或いは其の他の既に開発或いは開発中のガラスにすることができる。フロートガラス/アニールガラスはガラス溶液を溶解したスズの中に入れ、ガラスがスズの表面に浮いてきたら、自然に両辺が平らな表面に形成し、徐々に冷却して帯状の形態でスズ溶解液から出し、火であぶって加工し、平らなガラスにする。
【００１９】
強化ガラスはアニールガラスを熱処理して作成している。アニールガラスをまず必要な大きさにカットし、縁を磨き、或いは穴を開けてから強化処理を行う。ガラスをローラーテーブルに置き、アニールガラスの摂氏600度を超える窯に入れた後、空気で迅速に冷却させる。ガラスの表面がアニールガラスり以下に冷却すれば、迅速に硬化及び収縮する。ガラス内部は短時間内では尚も流動する。ガラスの内部が収縮する場合、表面は圧応力(compressive stress)が起こり、ガラス内部は張応力(tensile stress)が起こる。
【００２０】
ラミネートガラスは安全ガラスとも呼ばれ、二層或いはそれ以上の普通の多層退火ガラスで作られ、中央のラミネートはほぼPVBを使用する。PVBを二層のガラスの間に入れ、摂氏70度前後に加熱してから、ローラーで中に挟まれている空気を押し出すことで、PVBが二層のガラスとしっかりと粘着する。一般的なラミネートガラスは二枚の3ミリガラスに、中央に0.38ミリのラミネートを挟み、トータルの厚みが6.38ミリにする。更に多層、厚みのあるガラスで強度を増すこともできる。例えば防弾ガラスは多層の厚みのあるガラスでラミネートし、トータルの厚みが50ミリにも達する。
【００２１】
本考案の最良実施例の説明を行ったが、これにより本考案の保護範囲が限定されるものではない。図1の線路、装置或いは部品など、本考案を熟知する者が変動或いは修正を行っても、本考案の適用範囲とする。本考案の保護範囲は、後に添付する特許申請範囲によって定めることとする。
【図面の簡単な説明】
【００２２】
【図１】本考案の第一の実施例であり、ガラスコントロールシステムを付随する感応ガラスの構造略図である。
【符号の説明】
【００２３】
100    感応器
200    コントローラー
202    動作部品
204    コントロール部品
300    スイッチ
500    電源
600    ガラス
【図１】
0003141370.tif 000003